(57)【要約】【課題】  隣の区画に水が浸入することを効果的に防止できる仕切り部材を提供する。【解決手段】  床面とパーティションの間に設置される仕切り部材１において、前記床面に取り付けられるベース板部２と、前記ベース板部２の横方向中途部位に連結され且つ縦方向に立ち上げられた起立壁部３と、を有し、前記起立壁部３が、最小横長部３１と、前記最小横長部３１の上方において横方向に突設された返し部３２と、を有し、前記起立壁部３が連結された部分を除くベース板部２の表面２ａが、正面視で曲線に形成された凹曲面領域Ａ２を有し、前記起立壁部３の側面３ｃが、正面視で曲線に形成された凹曲面領域Ｂ１を有し、前記ベース板部２の凹曲面領域Ａ２の端と起立壁部３の凹曲面領域Ｂ１の端が連続している。【選択図】  図３
2020159026.tif 000002
【特許請求の範囲】
【請求項１】
床面とパーティションの間に設置される仕切り部材において、
前記床面に取り付けられるベース板部と、前記ベース板部の横方向中途部位に連結され且つ縦方向に立ち上げられた起立壁部と、を有し、
前記起立壁部が、最小横長部と、前記最小横長部の上方において横方向に突設された返し部と、を有し、
前記起立壁部が連結された部分を除くベース板部の表面が、正面視で曲線に形成された凹曲面領域を有し、前記起立壁部の側面が、正面視で曲線に形成された凹曲面領域を有し、前記ベース板部の凹曲面領域の端と起立壁部の凹曲面領域の端が連続している、仕切り部材。
【請求項２】
前記ベース板部の凹曲面領域の曲率半径が、前記起立壁部の凹曲面領域の曲率半径よりも大きい、請求項１に記載の仕切り部材。
【請求項３】
前記起立壁部の側面が、曲率半径の異なる第１凹曲面領域及び第２凹曲面領域を有する、請求項１または２に記載の仕切り部材。
【請求項４】
前記起立壁部の第１凹曲面領域の端と前記ベース板部の凹曲面領域の端が連続しており、
前記ベース板部の凹曲面領域の曲率半径、前記第１凹曲面領域の曲率半径及び第２凹曲面領域の曲率半径が、ベース板部の凹曲面領域の曲率半径＞第１凹曲面領域の曲率半径＞第２凹曲面領域の曲率半径、の関係を満たしている、請求項３に記載の仕切り部材。
【請求項５】
請求項１乃至４のいずれか一項に記載の仕切り部材であって前記ベース板部の側端から凹曲面領域までの間におけるベース板部の表面が水平面領域とされている仕切り部材と、床シート材と、を有し、
前記仕切り部材のベース板部が、床面上に取り付けられ、且つ、前記仕切り部材のベース板部の両側端部に、床シート材の端部が接合され、
前記ベース板部の水平面領域と床シート材の表面が連続して略水平面を成している、床面仕切り構造。
【発明の詳細な説明】
【技術分野】
【０００１】
本発明は、マンションやアパートなどの集合住宅、オフィスビル、商業施設ビルなどの集合建築物の、ベランダや共用廊下などの床面とパーティションの間に設置される仕切り部材及びそれを用いた床面仕切り構造に関する。
【背景技術】
【０００２】
マンションやアパートなどの集合住宅、オフィスビル、商業施設ビルなどの集合建築物は、通常、隣接する部屋が一定の区画ごとに壁で仕切られている。また、集合建築物のベランダや共用廊下などの床面は、部屋の区画と一体的に区画されている場合が多い。そのような床面を区画ごとに区切るため、その境界部にパーティション（いわゆる仕切り板）が設置されることがある。かかるパーティションは、その下端がベランダなどの床面から離れた状態で、建築物の壁面に取り付けられる。従って、パーティションの下端と床面の間には、間隙が存在する。従来、かかる間隙から排水や雨水或いはゴミなどが、パーティションで区切られた隣の区画へ侵入することがあるので、これを防止するために、床面とパーティションの間に仕切り部材を設置することが提案されている。
【０００３】
例えば、特許文献１の［００４９］及び図１０には、排水溝２ｑ，２ｑが形成された水平部２の中央部に、上端部に水返し部３ｑ，３ｑの設けられた立ち上がり部３が嵌合されている仕切り部材が開示されている。
また、特許文献２の［００３３］及び図４には、排水溝４が形成された水平部２の中央部に、上端部に水返し部３ｑ，３ｑの設けられた立ち上がり部３が一体的に成形されている仕切り部材が開示されている。
【先行技術文献】
【特許文献】
【０００４】
【特許文献１】特開２０１４−２０１９００号公報
【特許文献２】特許第６１６８４４１号公報
【発明の概要】
【発明が解決しようとする課題】
【０００５】
しかしながら、特許文献１及び２の仕切り部材にあっては、比較的弱く水が流れてきた場合には立ち上がり部によって水を阻止して排水溝で排水できるが、仕切り部材の側方からその中央部側に向かって比較的強い水流が立上り部に当たったときには、水が立ち上がり部を越えて隣の区画に侵入するおそれがある。特に、清掃時において、デッキブラシや箒などによって勢いを増した水やホースから排出される水などのような、流れの速い水が仕切り部材に当たる場合に、水が隣の区画に侵入し易い傾向にある。
このような点に鑑みて、仕切り部材の形状について更に検討する必要がある。
【０００６】
本発明の目的は、隣の区画に水が浸入することを効果的に防止できる仕切り部材及び床面仕切り構造を提供することである。
【課題を解決するための手段】
【０００７】
本発明は、床面とパーティションの間に設置される仕切り部材において、前記床面に取り付けられるベース板部と、前記ベース板部の横方向中途部位に連結され且つ縦方向に立ち上げられた起立壁部と、を有し、前記起立壁部が、最小横長部と、前記最小横長部の上方において横方向に突設された返し部と、を有し、前記起立壁部が連結された部分を除くベース板部の表面が、正面視で曲線に形成された凹曲面領域を有し、前記起立壁部の側面が、正面視で曲線に形成された凹曲面領域を有し、前記ベース板部の凹曲面領域の端と起立壁部の凹曲面領域の端が連続している。
【０００８】
本発明の好ましい仕切り部材は、前記ベース板部の凹曲面領域の曲率半径が、前記起立壁部の凹曲面領域の曲率半径よりも大きい。
本発明の好ましい仕切り部材は、前記起立壁部の側面が、曲率半径の異なる第１凹曲面領域及び第２凹曲面領域を有する。
本発明の好ましい仕切り部材は、前記起立壁部の第１凹曲面領域の端と前記ベース板部の凹曲面領域の端が連続しており、前記ベース板部の凹曲面領域の曲率半径、前記第１凹曲面領域の曲率半径及び第２凹曲面領域の曲率半径が、ベース板部の凹曲面領域の曲率半径＞第１凹曲面領域の曲率半径＞第２凹曲面領域の曲率半径、の関係を満たしている。
【０００９】
本発明の別の局面によれば、床面仕切り構造を提供する。
本発明の床面仕切り構造は、上記いずれかの仕切り部材であって前記ベース板部の側端から凹曲面領域までの間におけるベース板部の表面が水平面領域とされている仕切り部材と、床シート材と、を有し、前記仕切り部材のベース板部が、床面上に取り付けられ、且つ、前記仕切り部材のベース板部の両側端部に、床シート材の端部が接合され、前記ベース板部の水平面領域と床シート材の表面が連続して略水平面を成している。
【発明の効果】
【００１０】
本発明の仕切り部材を床面とパーティションの間に設置することにより、隣の区画に水が浸入することを効果的に防止できる。
【図面の簡単な説明】
【００１１】
【図１】１つの実施形態の仕切り部材の斜視図。
【図２】同仕切り部材の平面図。
【図３】同仕切り部材の正面図。
【図４】空洞部が形成された仕切り部材の正面図。
【図５】第１変形例の仕切り部材の正面図。
【図６】仕切り部材を床面に施工した床面仕切り構造を示す斜視図。
【図７】図６の矢印ＶＩＩ方向から見た左側面図。ただし、床面などの建築物を断面で示している。
【図８】図７のＶＩＩＩ−ＶＩＩＩ線で切断した端面図。ただし、パーティションの上方を省略している。
【図９】第２変形例の仕切り部材の正面図。
【図１０】第３変形例の仕切り部材の正面図。
【図１１】第４変形例の仕切り部材の正面図。
【図１２】第５変形例の仕切り部材の正面図。
【図１３】第６変形例の仕切り部材の正面図。
【図１４】実施例１及び２で使用した仕切り部材の正面図。
【図１５】実施例３で使用した仕切り部材の正面図。
【図１６】比較例１及び２で使用した仕切り部材の正面図。
【図１７】比較例３で使用した仕切り部材の正面図。
【図１８】各実施例及び比較例の仕切り部材を用いた、水の戻り状態の試験方法の参考正面図。
【発明を実施するための形態】
【００１２】
以下、本発明について、適宜図面を参照しつつ説明する。
本明細書において、「正面視」は、仕切り部材を図３などの正面図から見ることをいい、「正面視での形状又は正面視形状」は、図３などの正面図から見たときの形状をいう。仕切り部材の横方向及び縦方向は、仕切り部材を図３などの正面図から見たときを基準とする。奥行き方向は、前記横方向及び縦方向の双方に対して直交する方向をいう。また、「横長」は、横方向と平行な方向における直線長さをいい、「縦長」は、縦方向と平行な方向における直線長さをいう。
本明細書において、「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
また、各図における、厚み及び大きさなどの寸法及び曲線の曲率半径などは、実際のものとは異なっている場合があることに留意されたい。
なお、本発明の仕切り部材は、精密機器ではないので、実施上、厳密な精度は要求されない。本明細書の開示において許容できる範囲の仕切り部材は、本発明に包含されるものとする。
【００１３】
［１つの実施形態］
図１は、第１実施形態の仕切り部材１の斜視図であり、図２は、その平面図であり、図３は、その正面図である。正面図には、仕切り部材１の端面が表れている。
図１乃至図３において、仕切り部材１は、ベース板部２と、ベース板部２の横方向中途部位に連結された起立壁部３であって縦方向に立ち上げられた起立壁部３と、を有する。
ベース板部２は、仕切り部材１を床面に取り付ける際に、裏面２ｂ側を床面に向けて床面に取り付けられる部分である。ベース板部２の裏面２ｂは、仕切り部材１の床面に対する取り付け面となる。前記裏面２ｂとは反対側であるベース板部２の表面２ａは、起立壁部３が連結された部分を除いて、正面視で曲線に形成された凹曲面領域Ａ２を有する。
また、起立壁部３は、最小横長部３１と、前記最小横長部３１の上方において横方向に突設された返し部３２と、を有する。前記起立壁部３の側面３ｃは、正面視で曲線に形成された凹曲面領域Ｂ１を有する。そして、前記ベース板部２の凹曲面領域Ａ２の端と起立壁部３の凹曲面領域Ｂ１の端が連続している。
なお、正面視で曲線に形成された凹曲面領域とは、その領域を立体的に見ると奥行き方向に延びる凹曲面であり、その領域を正面から見ると曲線であることを意味する。また、後述する水平面領域についても、立体的に見ると奥行き方向に延びる水平面であり、正面から見ると水平な直線であることを意味する。
【００１４】
＜仕切り部材の概要＞
図１及び図２を参照して、仕切り部材１は、奥行き方向に延びる長尺状であり、図２の平面視では、仕切り部材１は、奥行き方向に延びる長尺帯状である。なお、図１及び図２においては、同じ形状が連続した仕切り部材１の中途部を省略している。
仕切り部材１は、奥行き方向において、図３に示す正面視形状（仕切り部材１の端面形状）が連なって構成されている。このため、仕切り部材１は、奥行き方向のいずれの箇所で横方向に切断しても、同じ形状（図３に示す正面視形状）が表れる。
仕切り部材１の奥行き方向長さは、特に限定されず、適宜設定でき、例えば、５００ｍｍ〜４０００ｍｍである。なお、比較的長い仕切り部材１は、施工場所に応じて、適宜裁断して使用される。
【００１５】
ベース板部２と返し部３２を有する起立壁部３は、一体的に形成されている。一体的に形成されたベース板部２及び起立壁部３は、同じ形成材料から形成される。もっとも、ベース板部２と起立壁部３が別体で形成され、両者が接着剤などで固着されている或いは嵌合構造で一体化されているものでもよい。
ベース板部２と起立壁部３の形成材料は、特に限定されず、軟質樹脂などの軟質材料；硬質樹脂、木材、アルミニウムなどの金属などの硬質材料；が挙げられる。成形容易であることから、ベース板部２及び起立壁部３は合成樹脂で形成することが好ましく、容易に切断でき、施工性にも優れていることから、ベース板部２及び起立壁部３は軟質樹脂で形成されていることが好ましい。軟質樹脂としては、塩化ビニル系樹脂、酢酸ビニル系樹脂、アクリル系樹脂などの合成樹脂、各種エラストマーなどが挙げられる。なお、本明細書において、軟質樹脂及び硬質樹脂は、ＪＩＳ  Ｋ６９００（１９９４）のプラスチック−用語に記載の軟質プラスチック及び硬質プラスチックを意味する。
【００１６】
軟質樹脂で一体成形された仕切り部材１（ベース板部２及び起立壁部３）は、柔らかく、人力で容易に湾曲させることができる。
例えば、仕切り部材１は、例えば、軟質の塩化ビニル系樹脂で形成される。軟質の塩化ビニル系樹脂の具体的な組成は、特に限定されず、例えば、ポリ塩化ビニル１００重量部に対し、フタル酸エステルなどの可塑剤を４０重量部〜８０重量部、炭酸カルシウムなどの充填剤を２０質量部〜５０質量部、安定剤を１重量部〜５重量部、滑剤を５重量部〜３重量部、必要に応じてその他の添加剤を微量含む。前記ポリ塩化ビニルは、例えば、平均重合度が７００〜１２００、好ましくは８００〜１０００のサスペンション塩化ビニルを用いることが好ましい。かかる塩化ビニル系樹脂を用いることにより、適度な硬度の仕切り部材１を形成でき、０℃の環境下においてもカッターナイフで容易に切断することが可能な仕切り部材１を提供できる。
また、仕切り部材１の形成材料には、必要に応じて、耐候性改善剤、紫外線吸収剤、防汚剤、抗菌剤、防カビ剤、静電気防止剤などの各種添加物を加えてもよい。或いは、仕切り部材１の表面に、紫外線吸収コーティング、汚れが付着しにくい塗装、抗菌処理、防カビ処理、静電気防止処理などの表面処理を施してもよい。
【００１７】
前記形成材料を押出し成形することにより、ベース板部２と返し部３２を含む起立壁部３が同時に成形された仕切り部材１を得ることができる。
押出し成形品は、通常、非常に長いので、適宜な寸法に裁断することにより、図１及び図２に示すような奥行きの仕切り部材１が得られる。
【００１８】
図１乃至図３に示す仕切り部材１は、中実状に形成されている。中実状とは、内部に大きな閉鎖空洞を有さないことを意味する。中実状の仕切り部材１は、剛性が高く、経時的に変形し難く、また、虫やゴミが内部に入り込むこともない。
なお、仕切り部材１は、図４に示すように、中空状に形成されていてもよい。中空状は、内部に比較的大きな閉鎖空洞部６１を有することを意味する。この閉鎖空洞部６１は、仕切り部材１の奥行き方向に連続して設けられる。中空状の仕切り部材１は、カッターなどで切断し易く、さらに、軽量化でき且つ材料コストを下げることができる。
図４では、閉鎖空洞部６１が、起立壁部３の上方内部及び下方内部の２箇所に独立して形成されているが、閉鎖空洞部６１は、１箇所でもよく、或いは、３箇所以上形成されていてもよい（図示せず）。
なお、図４の仕切り部材１は、内部に閉鎖空洞部６１が形成されていることを除いて、図１乃至図３の仕切り部材１と同様である。
【００１９】
＜仕切り部材の詳細＞
上述のように、仕切り部材１は、ベース板部２と、ベース板部２に連結されて縦方向に立ち上げられ且つ返し部３２を有する起立壁部３と、を有する。
ベース板部２は、略板状である。本明細書において、「略」は、本発明の属する技術分野において許容される範囲を意味する。
起立壁部３は、ベース板部２の横方向中途部に連結され、好ましくは、ベース板部２の横方向中間部に連結されている。横方向中間部は、横方向において真ん中を意味する点で、横方向の何れかの箇所を意味する横方向中途部とは異なる。
以下、説明上、起立壁部３を基準にして、その横方向一方側を「右」といい、横方向反対側を「左」という。
【００２０】
ベース板部２と起立壁部３は、一体的に形成されているため、その境界が明確に定まらないが、本明細書では、概念上、概ねベース板部２が略板状となる箇所で、ベース板部２と起立壁部３を区分けするものとする。図３に、ベース板部２と起立壁部３の概念上の境界線Ｓを一点鎖線で示している。
図３を参照して、略板状のベース板部２の裏面２ｂは、水平面に形成されている。もっとも、図５に示すように、ベース板部２の裏面２ｂに、１つ又は複数の凹部６２が形成されていてもよい。仕切り部材１が押出し成形品からなる場合には、前記凹部６２は、通常、奥行き方向に延びて形成される長状凹部６２である。
【００２１】
ベース板部２の表面２ａは、凹曲面領域Ａ２を有する。凹曲面領域Ａ２は、滑らかな面である。本明細書において、滑らかな面とは、凹凸を有さない面をいう。前記凹凸を有さないとは、顕微鏡などで拡大した状態のような微視的に見て凹凸を有さないという意味ではなく、例えば、触指で判別したときに凹凸が認められないことをいう。
凹曲面領域Ａ２は、ベース板部２の表面２ａの全体に亘っていてもよく、或いは、ベース板部２の表面２ａの一部分を占めていてもよい。凹曲面領域Ａ２がベース板部２の表面２ａの一部分を成している場合、ベース板部２の表面２ａのうち、凹曲面領域Ａ２以外の領域は、滑らかな面であってもよく、或いは、部分的に上方に突出する凸部又は下方に凹む凹部を有していてもよい。
【００２２】
好ましくは、ベース板部２の表面２ａは、その横方向両側端から中央側に向かって延びる左右一対の水平面領域Ａ１，Ａ１と、その水平面領域Ａ１，Ａ１の端（前記側端とは反対側の端）に連続して中央側に延び且つ極めて僅かに湾曲した左右一対の凹曲面領域Ａ２，Ａ２と、その左右一対の凹曲面領域Ａ２，Ａ２の間の水平面領域Ａ３と、からなる。なお、前記左右一対の凹曲面領域Ａ２，Ａ２の間の水平面領域Ａ３は、一点鎖線で示す概念上の境界線Ｓによって観念される概念上のものである。その水平面領域Ａ３には一体的に形成された起立壁部３が連結されているので、その水平面領域Ａ３が実際に表出されているわけではないことに留意されたい。
前記水平面領域Ａ１，Ａ１及び前記概念上の水平面領域Ａ３は、正面視で水平な直線に形成されており、凹曲面領域Ａ２，Ａ２は、正面視で曲線に形成されている。凹曲面領域Ａ２は、任意の１つの曲率半径の曲面となっている。凹曲面領域Ａ２の曲率半径は、正面視でその曲線の曲率半径をいう。
前記凹曲面領域Ａ２が１つの曲率半径の曲面とは、正面から凹曲面領域Ａ２を見たときに、１つの曲率半径の曲線に概ね含まれているという意味であり、正面視で曲率半径が僅かに異なる２つ以上の曲線が連続し、全体として見ると概ね１つの曲率半径の曲線と認められる程度のものを含む意味である。
なお、前記極めて僅かに湾曲した凹曲面領域Ａ２，Ａ２は、それぞれ、正面視で非常に大きな１つの曲率半径の曲線である。
【００２３】
詳しくは、水平面領域Ａ１，Ａ１は、ベース板部２の両側端から凹曲面領域Ａ２，Ａ２の端にまで延設され、凹曲面領域Ａ２，Ａ２は、その水平面領域Ａ１，Ａ１に連続して縦上側に僅かに湾曲しながら起立壁部３の凹曲面領域Ｂ１に連続している。従って、前記水平面領域Ａ１及び凹曲面領域Ａ２からなるベース板部２の左側の表面２ａは、全体として滑らかな面（特に、水の流れを阻害する部分を有さない滑らかな面）となっている。水平面領域Ａ１及び凹曲面領域Ａ２からなるベース板部２の右側の表面２ａも同様に全体として滑らかな面（特に、水の流れを阻害する部分を有さない滑らかな面）となっている。なお、このような水平面領域Ａ１及び凹曲面領域Ａ２からなるベース板部２は、全体として略板状となっている。
このようにベース板部２の表面２ａが全体的に滑らかな面とされていることにより、水がベース板部２の側端から起立壁部３へと乱れること無く流れるようになる。
なお、水平面領域Ａ１の端と凹曲面領域Ａ２の端が連続して滑らかな面となっているベース板部２の表面２ａには、前記水平面領域Ａ１の端と凹曲面領域Ａ２の端の交点（連続点）が明確に表れないことに留意されたい。
【００２４】
凹曲面領域Ａ２は、下側に膨らむ曲面である。左側の凹曲面領域Ａ２は、ベース板部２の上側且つ起立壁部３よりも左側に中心点が位置している曲面（正面視で左側に中心点がある曲線）という意味であり、右側の凹曲面領域Ａ２は、ベース板部２の上側且つ起立壁部３よりも右側に中心点が位置している曲面（正面視で右側に中心点がある曲線）という意味である。
【００２５】
ベース板部２の横長は、特に限定されないが、余りに小さいと床面に対する接着面積が小さくなり、余りに大きいと仕切り部材１の取り扱い性が低下する。かかる観点から、ベース板部２の横長は、例えば、３０ｍｍ〜３００ｍｍであり、好ましくは５０ｍｍ〜２００ｍｍであり、より好ましくは７０ｍｍ〜１８０ｍｍである。
ベース板部２の厚みは、特に限定されないが、余りに小さいと仕切り部材１の取り扱い性が低下し、余りに大きいと奥行き方向の長さ調整の際に仕切り部材１を切断することが困難となる上、材料コストが増加する。かかる観点から、ベース板部２の厚みは、１ｍｍ〜５ｍｍであり、好ましくは１．５ｍｍ〜４ｍｍである。なお、前記ベース板部２の厚みは、その横方向側端におけるベース板部２の厚みを意味する。
【００２６】
起立壁部３は、横長が最小となった最小横長部３１と、前記最小横長部３１の上方において横方向に突設された返し部３２と、を有する。
図示例の起立壁部３は、一部分に最小横長部３１を有する。
最小横長部３１の位置は、特に限定されず、起立壁部３の縦方向最下端部、縦方向中途部、縦方向最上端部などが挙げられる。本実施形態では、起立壁部３の縦方向中途部に配置され、好ましくは、図示例のように、起立壁部３の縦方向中間部よりも上方に配置される。なお、縦方向中間部は、縦方向において真ん中を意味する点で、縦方向の何れかの箇所を意味する縦方向中途部とは異なる。
最小横長部３１の横長は、特に限定されないが、余りに小さいと強度が低くなり、余りに大きいと仕切り部材１を切断することが困難となる上、材料コストが増加する。最小横長部３１の横長は、例えば、１ｍｍ〜７ｍｍであり、好ましくは２ｍｍ〜６ｍｍであり、より好ましくは２．５ｍｍ〜５ｍｍである。
また、起立壁部３の縦長は、特に限定されず、例えば、１５ｍｍ〜４０ｍｍであり、好ましくは２０ｍｍ〜３０ｍｍである。
【００２７】
起立壁部３の側面３ｃは、凹曲面領域Ｂ１を有する。凹曲面領域Ｂ１は、滑らかな面である。凹曲面領域Ｂ１は、正面視で曲線に形成されている。なお、凹曲面領域Ｂ１は、任意の１つの曲率半径の曲面となっている。凹曲面領域Ｂ１の曲率半径は、正面視でその曲線の曲率半径をいう。前記凹曲面領域Ｂ１が１つの曲率半径の曲面とは、正面から凹曲面領域Ｂ１を見たときに、１つの曲率半径の曲線に概ね含まれているという意味であり、正面視で曲率半径が僅かに異なる２つ以上の曲線が連続し、全体として見ると概ね１つの曲率半径の曲線と認められる程度のものを含む意味である。
起立壁部３の凹曲面領域は、１つであってもよく（１つの曲率半径の凹曲面領域）又は複数であってもよい（曲率半径が異なる２つ以上の凹曲面領域）。例えば、起立壁部３のそれぞれの側面３ｃが１つの凹曲面領域を有する場合、その１つの凹曲面領域は、起立壁部３の側面３ｃの最下端部から最上端部に至るまで延在されていてもよく、或いは、起立壁部３の側面３ｃの一部分に形成されていてもよい。これらのいずれの形態においても、起立壁部３には、最小横長部３１及び返し部３２が形成されている。
ベース板部２の凹曲面領域Ａ２に連続する凹曲面領域Ｂ１の向きは、特に限定されず、下側から内側（起立壁部３の中央側）に向かって凹湾曲して延びる曲面（正面視で下側から内側に向かって延びる曲線）でもよく、或いは、下側から外側（起立壁部３とは反対側）に向かって凹湾曲して延びる曲面（正面視で下側から外側に向かって延びる曲線）でもよい。好ましくは、凹曲面領域Ｂ１は、下側から内側に向かって凹湾曲して延びる曲面である。
下側から内側に向かって凹湾曲して延びる曲面は、換言すると、その曲面の下端から上端に凹状に湾曲した曲面（正面視で、その曲線の下端から上端に至る円弧）であり、上端が下端よりも横方向の内側に位置しているものである。また、下側から外側に向かって凹湾曲して延びる曲面は、換言すると、その曲面の下端から上端に凹状に湾曲した曲面（正面視で、その曲線の下端から上端に至る円弧）であり、上端が下端よりも横方向の外側に位置しているものである。
以下、下側から内側に向かって凹湾曲して延びる曲面を「下内曲面」といい、下側から外側に向かって凹湾曲して延びる曲面を「下外曲面」という。
【００２８】
起立壁部３の側面３ｃは、前記凹曲面領域Ｂ１を有することを条件として、曲率半径の異なる２つ以上の凹曲面領域を有していてもよい。好ましくは、起立壁部３の側面３ｃは、曲率半径の異なる少なくとも凹曲面領域を有し、そのうちの１つが、ベース板部２の凹曲面領域Ａ２に連続する凹曲面領域Ｂ１である。
また、起立壁部３の側面３ｃは、前記凹曲面領域Ｂ１を有することを条件として、縦方向と平行な平面（以下、平行平面という）及び／又は縦方向に対して傾斜して延びる傾斜平面（以下、傾斜平面という）を有していてもよい。
なお、前記平行平面は、正面視で縦方向と平行に延びる直線に形成されており、前記傾斜平面は、正面視で縦方向に対して傾斜した直線に形成されている。
【００２９】
図示例では、起立壁部３の左右一対の側面３ｃ，３ｃは、いずれも、曲率半径が異なる２つの凹曲面領域Ｂ１，Ｂ２を有する。図示例では、下方から上側に向かって順に凹曲面領域Ｂ１及び凹曲面領域Ｂ２が形成されている。以下、２つの凹曲面領域のうち、ベース板部２の凹曲面領域Ａ２に連続しているものを「第１凹曲面領域Ｂ１」といい、もう一方を「第２凹曲面領域Ｂ２」という。
詳しくは、第１凹曲面領域Ｂ１は、上述のように、正面視で曲線に形成され、任意の１つの曲率半径の曲面となっている。
第２凹曲面領域Ｂ２は、正面視で曲線に形成され、任意の１つの曲率半径の曲面となっている。前記第２凹曲面領域Ｂ２が１つの曲率半径の曲面とは、正面から第２凹曲面領域Ｂ２を見たときに、１つの曲率半径の曲線に概ね含まれているという意味であり、正面視で曲率半径が僅かに異なる２つ以上の曲線が連続し、全体として見ると概ね１つの曲率半径の曲線と認められる程度のものを含む意味である。
【００３０】
曲率半径が異なる第１凹曲面領域Ｂ１と第２凹曲面領域Ｂ２は、第１凹曲面領域Ｂ１の曲率半径が大きくてもよく、或いは、第１凹曲面領域Ｂ１の曲率半径が小さくてもよい。
好ましくは、第１凹曲面領域Ｂ１の曲率半径が第２凹曲面領域Ｂ２の曲率半径よりも大きくなるように、各領域Ｂ１，Ｂ２が形成されている。
ベース板部２の凹曲面領域Ａ２の端に連続している第１凹曲面領域Ｂ１の端（前記端とは反対側の端）と第２凹曲面領域Ｂ２の端は、連続していてもよく、或いは、前記第１凹曲面領域Ｂ１の端（前記端とは反対側の端）と第２凹曲面領域Ｂ２の端の間に、平行平面又は傾斜平面が連続して介在されていてもよい。
図示例では、第１凹曲面領域Ｂ１の端と第２凹曲面領域Ｂ２の端は、連続している。
起立壁部３の凹曲面領域（第１凹曲面領域Ｂ１及び第２凹曲面領域Ｂ２など）は、起立壁部３の中央部側に膨らむ曲面（正面視で起立壁部３の中央部側に膨らむ曲線）である。起立壁部３の中央部側に膨らむ曲面とは、例えば、左側の側面３ｃの凹曲面領域（第１及び第２凹曲面領域Ｂ１，Ｂ２）を例に採ると、起立壁部３よりも左側に中心点が位置している曲面（正面視で左側に中心点がある曲線）という意味であり、右側の側面３ｃの凹曲面領域（第１及び第２凹曲面領域Ｂ１，Ｂ２）を例に採ると、起立壁部３よりも右側に中心点が位置している曲面（正面視で右側に中心点がある曲線）という意味である。
【００３１】
図示例では、ベース板部２の凹曲面領域Ａ２の端に連続した第１凹曲面領域Ｂ１の端と第２凹曲面領域Ｂ２の端は連続している。この第１凹曲面領域Ｂ１の端と第２凹曲面領域Ｂ２の端の交点（連続点）は、最小横長部３１に一致している。つまり、図３に示す例では、最小横長部３１の側部は、連続して形成される第１凹曲面領域Ｂ１と第２凹曲面領域Ｂ２との境界部分であって、第１凹曲面領域Ｂ１と第２凹曲面領域Ｂ２の交点で画成されている。
また、第２凹曲面領域Ｂ２の端（第１凹曲面領域Ｂ１と連続した端とは反対側の端）は、返し部３２の突出端３２ａと一致している。つまり、返し部３２の側部である突出端３２ａは、第２凹曲面領域Ｂ２で画成されている。
従って、起立壁部３の側面３ｃは、連続した第１凹曲面領域Ｂ１及び第２凹曲面領域Ｂ２から形成されており、全体として滑らかな面とされている。
特に、第１凹曲面領域Ｂ１と第２凹曲面領域Ｂ２は、角点を有することなく連続した曲面とされている（正面視で角点を有することなく連続した曲線を成している）。前記角点とは、２つの線の交点であって、一方の線側から引いた接線の傾きと、もう一方の線側から引いた接線の傾きとが一致しない点をいう。
また、ベース板部２の凹曲面領域Ａ２と起立壁部３の第１凹曲面領域Ｂ１は、角点を有することなく連続した曲面とされている。
従って、ベース板部２の左側の表面２ａから起立壁部３の左側の側面３ｃにかけて、全体的に滑らかな面とされ、ベース板部２の右側の表面２ａから起立壁部３の右側の側面３ｃにかけて、全体的に滑らかな面とされている。
【００３２】
図３に示すように、ベース板部２の凹曲面領域Ａ２に連続する第１凹曲面領域Ｂ１の向きは、下内曲面とされていることが好ましい。
第２凹曲面領域Ｂ２の向きは、特に限定されず、下内曲面でもよく、或いは、下外曲面でもよい。好ましくは、図３に示すように、第２凹曲面領域Ｂ２は、下外曲面とされている。
第１凹曲面領域Ｂ１の曲率半径は、第２凹曲面領域Ｂ２の曲率半径よりも大きく、第１凹曲面領域Ｂ１の曲率半径＞第２凹曲面領域Ｂ２の曲率半径の関係を満たしている。
また、第１凹曲面領域Ｂ１の曲率半径は、ベース板部２の凹曲面領域Ａ２の曲率半径よりも小さく、ベース板部２の凹曲面領域Ａ２の曲率半径＞第１凹曲面領域Ｂ１の曲率半径の関係を満たしている。
上述のように、ベース板部２の凹曲面領域Ａ２、第１凹曲面領域Ｂ１及び第２凹曲面領域Ｂ２の各曲率半径は、それぞれ独立して、任意の１つに設定されるが、その具体的数値は、特に限定されず適宜設計できる。
例えば、ベース板部２の凹曲面領域Ａ２は、正面視でその曲線の曲率半径が１００ｍｍ〜２００ｍｍ、好ましくは１２０ｍｍ〜１８０ｍｍとされる。第１凹曲面領域Ｂ１は、正面視でその曲線の曲率半径が１０ｍｍ〜２０ｍｍ、好ましくは、１２ｍｍ〜１８ｍｍとされる。第２凹曲面領域Ｂ２は、正面視でその曲線の曲率半径が２ｍｍ〜１５ｍｍ、好ましくは、５ｍｍ〜１０ｍｍとされる。
【００３３】
なお、起立壁部３の側面３ｃが、第１凹曲面領域Ｂ１及び第２凹曲面領域Ｂ２以外に、これらとは曲率半径の異なる別の凹曲面領域をさらに有していてもよい。この場合、その別の凹曲面領域の曲率半径は、適宜設定できるが、ベース板部２に連続する第１凹曲面領域Ｂ１から返し部３２に向かって順に曲率半径が小さくなるように複数の凹曲面領域が配置されていることが好ましい。
【００３４】
別の観点では、起立壁部３は、最小横長部３１を基準にして、返し部３２から最小横長部３１に向かうに従って横長が徐々に小さくなる頂部３３と、最小横長部３１からベース板部２に向かうに従って横長が徐々に大きくなる裾部３４と、を有する。この頂部３３は、左右一対の第２凹曲面領域Ｂ２，Ｂ２によって挟まれた部分であり、裾部３４は、左右一対の第１凹曲面領域Ｂ１，Ｂ１によって挟まれた部分である。前記裾部３４を有する起立壁部３は、経時的に傾き難くなる。
また、仕切り部材１へと掃き寄せられた水は、水勢が十分に強い場合には、凹曲面領域Ａ２から裾部３４に沿って次第に上向きに流れ、第１凹曲面領域Ｂ１及び第２凹曲面領域Ｂ２に沿って返し部３２に至るので、水が頂部３３から反対側に行くことがない。水勢が比較的弱い場合には、前記水の流れ経路のどこかの箇所で重力に従って水が戻る。いずれにしても、水が起立壁部３を越えて反対側に行くことを効果的に防止できる。なお、戻された水は、後述するように、床面の水勾配に従い、仕切り部材１の奥行き方向の一方側へ排水されていく。
頂部３３の縦長と裾部３４の縦長は、同じでもよく、或いは、何れか一方が他方よりも大きくてもよい。立ち上がった起立壁部３が経時的に傾き難くなることから、裾部３４の縦長が頂部３３の縦長よりも大きいことが好ましい。
頂部３３の縦長と裾部３４の縦長の比率は、特に限定されないが、頂部３３の縦長：裾部３４の縦長は、例えば、２：８〜８：２とされ、好ましくは２：８〜５：５とされ、より好ましくは、２：８〜４：６とされている。頂部３３を裾部３４よりも短い縦長とすることにより、返し部３２によって水が隣の区画に侵入することを防止できる。
【００３５】
頂部３３の最大横長は、特に限定されないが、例えば、４．５ｍｍ〜３７ｍｍであり、好ましくは、６ｍｍ〜１２ｍｍである。なお、頂部３３の最大横長は、後述する左右一対の返し部３２の突出端３２ａの間の横方向長さと同じである。
裾部３４の最大横長は、特に限定されないが、例えば、１０ｍｍ〜３０ｍｍであり、好ましくは、１５ｍｍ〜２５ｍｍである。なお、裾部３４の最大横長は、ベース板部２の境界における起立壁部３の横長に相当する。
仕切り部材１を床面に設置したときに安定することから、裾部３４の最大横長は、頂部３３の最大横長よりも大きいことが好ましい。
【００３６】
返し部３２は、起立壁部３の上方に設けられ、図示例では、起立壁部３の上端部に設けられている。
返し部３２は、左右一対形成される。左右の返し部３２，３２の突出長Ｗ，Ｗは、それぞれ独立して、１．５ｍｍ〜１５ｍｍであり、好ましくは、２ｍｍ〜８ｍｍであり、より好ましくは、２ｍｍ〜４ｍｍである。２ｍｍ以上の突出長を有する左右の返し部３２，３２を起立壁部３の上方に形成することにより、右側から来る水が起立壁部３を乗り越えて左側に侵入すること、及び、左側から来る水が起立壁部３を乗り越えて右側に侵入することを効果的に防止できる。
前記返し部３２の突出長Ｗは、図３に示すように、最小横長部３１の側面と返し部３２の突出端３２ａまでの横長を意味する。
【００３７】
なお、起立壁部３の上面（左右の返し部３２，３２の突出端３２ａ間の上面）は、外側に膨らむ曲面（正面視で、上側に膨らむ曲線）に形成されている。このように起立壁部３の上面が凸曲面に形成されていることにより、ゴミが溜まり難く、また、返し部３２の厚みを大きくすることができ、返し部３２の強度が向上する。
また、起立壁部３の側面３ｃ及び返し部３２は、左右対称形に形成されているが、左右非対称形であってもよい。
【００３８】
＜仕切り部材の使用及び床面仕切り構造＞
本発明の仕切り部材１は、集合建築物の隣接する区画の床面に施工される。集合建築物としては、マンション、アパートなどの集合住宅、オフィスビル、商業施設ビルなどが挙げられる。集合建築物には、隣接する区画を仕切るため、隣接する区画の床面上にパーティションが設置されている。このパーティションは、通常時には、防音及び目隠しとして機能し、火災発生時等の非常時には、居住者が突き破って互いに隣接する区画へ抜け出ることができるように構成されている。具体的には、パーティションは、上下横枠及び左右縦枠を含む金属製の枠体に、非常時に居住者が破壊し易い材料で形成されたボードが取り付けられて構成されている。かかるパーティションは、その金属製の枠体の下端は、床面から離れているため、パーティションの下端と床面の間には、間隙が設けられている。このような間隙を塞ぐためにも、本発明の仕切り部材１が、パーティションの下方に設置される。
【００３９】
図６乃至図８は、本発明の仕切り部材１が集合建築物の隣接する区画の床面上に施工された床面仕切り構造１０を示している。
床面仕切り構造１０は、ベランダなどの隣接する区画の床面９１と、前記床面９１の上方に間隙を有して設置されたパーティション９２と、前記間隙に介在され且つ床面９１上に取り付けられた仕切り部材１と、前記仕切り部材１が取り付けられた部分を除く床面９１上に取り付けられた床シート材８２と、を有する。パーティション９２は、例えば、金属製の枠体９２１と、その枠体９２１に取り付けられたボード９２２と、からなる。
前記床面９１は、例えば、半屋外又は屋外に存在する。かかる床面９１には、その端部に形成された排水溝９３に水を導くため勾配が付けられている。つまり、床面９１は、排水溝９３に向かって徐々に低くなった傾斜平面とされている。かかる床面９１の傾斜は、水勾配とも呼ばれており、通常、１／５０〜１／１００であり、好ましくは１／５０〜１／７０である。なお、１／５０は、長さ５０ｃｍに対して１ｃｍ下がる勾配を意味する。
【００４０】
パーティション９２は、金属などからなる支持材やステイなどを介して、建築物の壁面９４に固定されている。
仕切り部材１の奥行き方向がパーティション９２の下端と略平行となり且つパーティション９２の下方延長線上に起立壁部３が略位置するようにして仕切り部材１が配置され、ベース板部２が床面に取り付けられている。
【００４１】
仕切り部材１のベース板部２の裏面２ｂは、接着手段８１を介して床面９１に固定されている。接着手段８１は、特に限定されず、例えば、接着剤、両面粘着テープなどを用いることが挙げられる。図示例では、接着手段として接着剤を表している。
仕切り部材１のベース板部２の両側端部には、床シート材８２の端部が接合されている。床シート材８２は、接着剤や両面粘着テープなどの接着手段８１を介して床面に固定されている。なお、必要に応じて、ベース板部２の両側端と床シート材８２の側端とを樹脂製の溶接棒で接合してもよく、或いは、前記側端間にシール剤８３などを充填して水密性を高めてもよい。
ベース板部２の表面２ａにおいて両側端から延びる水平面領域と床シート材８２の表面は、高低差を有していてもよいが、好ましくは、ベース板部２の表面２ａの水平面領域と床シート材８２の表面は、高低差を有さない同じ高さとされる。このように同じ高さとすることにより、ベース板部２の側端と床シート材８２の側端とを溶接棒で熱風溶接する際、余分な樹脂である余盛をナイフなどでカットする作業が容易になり、仕上がりが綺麗になる。また、このように同じ高さとすることにより、ベース板部２の表面２ａの水平面領域と床シート材８２の表面が連続して略水平面を成している。
例えば、ベース板部２の厚み（側端における厚み）を２．５ｍｍに設定し、床シート８２として、厚み２．５ｍｍの床シート材（東リ株式会社製の商品名「ＮＳ８００」）を用いることにより、ベース板部２の表面２ａの水平面領域と床シート材８２の表面が略水平面を成した床面仕切り構造１０を構築できる。
【００４２】
本発明の仕切り部材１は、ベース板部２の表面２ａが凹曲面領域Ａ２を有し且つ、起立壁部３の側面３ｃが凹曲面領域Ｂ１（第１凹曲面領域Ｂ１）を有し、その凹曲面領域Ａ２の端と凹曲面領域Ｂ１の端が連続しているので、例えば、図８に示すように、パーティション９２で仕切られた左側の区画から、排水や雨水などの水が床シート材８２から仕切り部材１へと流れ込んできても、その水は、起立壁部３の左の側面３ｃに沿って上昇し、返し部３２にて左側へ戻るようになる。右側の区画から仕切り部材１へと流れ込む水も同様に、起立壁部３によって右側へ戻るようになる。このため、本発明の仕切り部材１を用いることにより、隣の区画に水が浸入することを効果的に防止できる。
【００４３】
また、起立壁部３の側面３ｃが、曲率半径の異なる第１凹曲面領域Ｂ１及び第２凹曲面領域Ｂ２を有する場合には、起立壁部３の側面３ｃに沿って流れる水が整流される。特に、ベース板部２の凹曲面領域Ａ２の曲率半径＞第１凹曲面領域Ｂ１の曲率半径＞第２凹曲面領域Ｂ２の曲率半径の関係を満たすように、各領域Ａ２，Ｂ１，Ｂ２が形成されているので、起立壁部３の側面３ｃに沿って流れる水は、ベース板部２の表面２ａから起立壁部３の側面３ｃに沿って乱れること無く流れるようになる。さらに、第１凹曲面領域Ｂ１が下内曲面とされ且つ第２凹曲面領域Ｂ２が下外曲面とされていることにより、水が起立壁部３の左の側面３ｃを滑るように巻き上げられ、返し部３２にて左側又は右側に確実に戻るようになる。また、第１凹曲面領域Ｂ１の端と第２凹曲面領域Ｂ２の端が連続していることにより、整流効果を高めることができる。すなわち、第１凹曲面領域Ｂ１によって上向きに流れた水が、第２凹曲面領域Ｂ２に沿って向きを変えて円滑に流れるようになる。
さらに、床シート材８２とベース板部２の表面２ａが略水平面とされていることにより、床シート材８２の表面を伝って仕切り部材１へと流れ込む水は、跳ね上がることなく、ベース板部２の表面２ａから起立壁部３の側面３ｃに沿って流れ、返し部３２にて左側又は右側に戻るようになる。
また、最小横長部３１が起立壁部３の縦方向中間部よりも上方に配置されることによって、より整流効果を高めることができる。すなわち、最小横長部３１が起立壁部３の縦方向中間部よりも上方に配置されている場合、第１凹曲面領域Ｂ１の端が起立壁部３の縦方向中間部よりも上方に位置しているので、例えば、左側からの水が第１凹曲面領域Ｂ１に沿って上向きに流れるときの、水の流れる距離が大きくなり、滑らかに水を導くことができる。
【００４４】
本発明は、上記実施形態に限られず、本発明の意図する範囲で様々に変更できる。以下、変形例を説明するが、その説明に於いては、主として上記実施形態と異なる構成及び効果について説明し、同様の構成などについては、その説明を省略する場合がある。
【００４５】
［変形例］
上記実施形態の仕切り部材１において、起立壁部３の上面は、外側に膨らむ曲面に形成されているが、例えば、図５に示すように、起立壁部３の上面が水平面に形成されていてもよい。
なお、図５の仕切り部材１は、ベース板部２の裏面２ｂに凹部６２が形成されていること及び起立壁部３の上面が水平面に形成されていることを除いて、図１乃至図４の仕切り部材１と同様である。
【００４６】
上記実施形態の仕切り部材１において、第１凹曲面領域Ｂ１と第２凹曲面領域Ｂ２が角点を有することなく連続した曲面とされているが、例えば、図９に示すように、左右の側面３ｃ，３ｃが、正面視で角点を有する線形状であってもよい。図示例の第２変形例の仕切り部材１の起立壁部３の側面３ｃは、上記実施形態と同様に、第１凹曲面領域Ｂ１の端と第２凹曲面領域Ｂ２の端が連続しているが、その２つの凹曲面領域Ｂ１，Ｂ２の交点（連続点）において角点を有する。この交点で最小横長部３１が画成されている。
【００４７】
上記実施形態の仕切り部材１において、起立壁部３は、縦方向の一箇所（第１凹曲面領域Ｂ１と第２凹曲面領域Ｂ２の交点）に最小横長部３１が形成されているが、例えば、図１０に示すように、返し部３２を除く起立壁部３の縦方向においてある程度の長さを有した最小横長部３１が形成されていてもよい。この第３変形例は、第１凹曲面領域Ｂ１と第２凹曲面領域Ｂ２の間に、平行平面Ｃ１が形成されている態様でもある。最小横長部３１は、左側の平行平面Ｃ１と右側の平行平面Ｃ１の間で画成されている。その平行平面Ｃ１の縦方向全体に亘って、起立壁部３の横長が最小となっている（つまり、最小横長部３１となっている）。縦方向においてある程度の長さを有する最小横長部３１を形成することにより、仕切り部材１を全体的に大型化させることなく、横方向の寸法をそのままで、縦方向の寸法のみを大きくすることができる。これによって、大量の水が流れてきた場合であっても、水が隣の区画に侵入することを防止できる起立壁部３を構成できる。
【００４８】
上記実施形態の仕切り部材１において、起立壁部３の側面３ｃは、第１凹曲面領域Ｂ１及び第２凹曲面領域Ｂ２などの複数の凹曲面領域を有するが、例えば、図１１に示すように、ベース板部２の凹曲面領域Ａ２に連続した第１凹曲面領域Ｂ１のみを有していてもよい。
この場合、第１凹曲面領域Ｂ１の端と返し部３２の間に、例えば、図１１に示すように、傾斜平面Ｃ２が形成される。つまり、起立壁部３の側面３ｃは、ベース板部２の凹曲面領域Ａ２に連続する第１凹曲面領域Ｂ１と、第１凹曲面領域Ｂ１の端に連続し且つ返し部３２の突出端３２ａにまで延びる傾斜平面Ｃ２と、を有する。
なお、図９及び図１０に示す仕切り部材１は、いずれも、ベース板部２の凹曲面領域Ａ２の曲率半径＞第１凹曲面領域Ｂ１の曲率半径＞第２凹曲面領域Ｂ２の曲率半径の関係を満たしており、図１１に示す仕切り部材１は、ベース板部２の凹曲面領域Ａ２の曲率半径＞第１凹曲面領域Ｂ１の曲率半径の関係を満たしている。
【００４９】
また、上記実施形態の仕切り部材１において、ベース板部２の凹曲面領域Ａ２に連続した第１凹曲面領域Ｂ１は、下内曲面とされているが、例えば、図１２に示すように、下外曲面とされていてもよい。なお、図示例の第１凹曲面領域Ｂ１は、厳密には、下側から内側に僅かに湾曲した後、外側に湾曲した曲面となっているが、概ね下側から外側に向かって凹湾曲して延びる曲面（下外曲面）となっているものである。
さらに、上記実施形態の仕切り部材１において、ベース板部２の凹曲面領域Ａ２と起立壁部３の第１凹曲面領域Ｂ１は、角点を有することなく連続しているが、例えば、図１２に示すように、凹曲面領域Ａ２と第１凹曲面領域Ｂ１が角点を有して連続していてもよい。図示例では、概ね凹曲面領域Ａ２と第１凹曲面領域Ｂ１の交点（角点）で最小横長部３１が画成されている。
また、上記実施形態の仕切り部材１は、第１凹曲面領域Ｂ１の曲率半径＞第２凹曲面領域Ｂ２の曲率半径の関係を満たしているが、例えば、図１２に示すように、第１凹曲面領域Ｂ１の曲率半径＜第２凹曲面領域Ｂ２の曲率半径の関係を満たしていてもよい。
なお、図１２に示す仕切り部材１は、ベース板部２の凹曲面領域Ａ２の曲率半径＞第２凹曲面領域Ｂ２の曲率半径＞第１凹曲面領域Ｂ１の曲率半径の関係を満たしている。また、図１２に示す仕切り部材１の起立壁部３は、最小横長部３１が下端に形成されているので、ベース板部２に向かうに従って横長が徐々に大きくなる裾部を実質的に有さない。
【００５０】
上記実施形態の仕切り部材１において、ベース板部２の表面２ａのうち凹曲面領域Ａ２以外の領域は、水平面領域Ａ１のような水の流れを阻害する部分を有さない滑らかな面とされているが、例えば、図１３に示すように、表面２ａのうち凹曲面領域Ａ２以外の領域に、凹部６３が形成されていてもよい。このような凹部６３は奥行き方向に延設されており、排水溝として利用できるものである。また、特に図示しないが、凹曲面領域Ａ２以外の領域に凸部（例えば、特許文献１に記載のような溝縁部）が形成されていてもよく、かかる凸部も同様に排水溝として機能する。
なお、図１３の仕切り部材１は、凹部６３が形成されていることを除いて、図１乃至図４の仕切り部材１と同様である。
【実施例】
【００５１】
以下、実施例を示し、本発明を更に詳述する。但し、本発明は、下記実施例に限定されるものではない。
【００５２】
［実施例１乃至３、比較例１乃至３］
図１４乃至図１７に示す正面視形状の仕切り部材をそれぞれ準備した。
なお、図１４乃至図１７に表された長さの数値の単位は、ｍｍであり、曲線のＲは、曲率半径を意味し、その数値の単位は、ｍｍである。これらの図は、設計図であり、正確な数値を記載している。
全ての仕切り部材の起立壁部及びベース板部の左右は、対称形である。
また、実施例１及び比較例１の仕切り部材は、軟質塩化ビニル樹脂の押出し成形品を用いた。実施例１及び比較例１以外の仕切り部材は、いずれも３Ｄプリンタを用いて作製した。
【００５３】
各実施例及び比較例の仕切り部材を、奥行き方向長さ１２０ｍｍに切断した。
この仕切り部材のベース板部の裏面を、公知の接着剤にてコンクリート床面に固定した。なお、実際のベランダを想定し、１／１００の水勾配が付けられた床面を使用し、仕切り部材の奥行き方向をその勾配方向に沿って仕切り部材１を固定した。
図１８に示すように、内径２ｍｍの市販のホースの吐出口を仕切り部材の一方の側端から内側に約５ｍｍとなるように位置させると共に、そのホースの吐出口近傍部をベース板部に載せた状態で、前記ホースを固定した。そのホースの吐出口から水道水を仕切り部材の左側のベース板部の表面に向かって当て（水の流速：８００ミリリットル／分）、水の状態を目視にて観察した。その結果を表１に示す。ただし、表１の水の状態は、次の通りである。
〇：左側からの水が起立壁部を乗り越えることなく、水が起立壁部の側面に沿って上向きに流れた後、反転して左側に戻っていった。
△：左側からの水が殆ど起立壁部の側面に沿って上向きに流れた後、反転して左側に戻っていったが、ごく僅かな水が右側に侵入した。
×：左側からの水が殆ど起立壁部を乗り越えて右側に侵入した。
【００５４】
【表１】
2020159026.tif 000003
【００５５】
ベース板部の凹曲面領域と起立壁部の凹曲面領域が連続している実施例１乃至３の仕切り部材は、水が起立壁部を乗り越えない又は乗り越え難かった。他方、比較例１乃至３の仕切り部材は、水が起立壁部を乗り越えて右側（隣の区画）に侵入した。
比較例１の仕切り部材は、起立壁部の凹曲面領域に連続するベース板部の凹曲面領域を有さない点で実施例１乃至３の仕切り部材とは異なっている。比較例２の仕切り部材は、ベース板部及び起立壁部のいずれも曲面領域を有さない点で実施例１乃至３の仕切り部材とは異なっている。比較例３の仕切り部材は、ベース板部の曲面領域と仕切り部材の曲面領域が連続しているが、それらの曲面領域は、いずれも凸曲面である点、実施例１乃至３の仕切り部材とは異なっている。
また、実施例１及び２と実施例３とを対比すると、実施例１及び２の仕切り部材は水が起立壁部を乗り越え難かった。これは、実施例３の仕切り部材が、ベース板部の凹曲面領域と起立壁部の凹曲面領域が角点を有して連続していること、又は、起立壁部の凹曲面領域が下外曲面であることに起因すると推定される。
【符号の説明】
【００５６】
１  仕切り部材
２  ベース板部
２ａ  ベース板部の表面
３  起立壁部
３ｃ  起立壁部の側面
３１  最小横長部
３２  返し部
３３  頂部
３４  裾部
８２  床シート材
９１  床面
１０  床面仕切り構造
Ａ１  ベース板部の表面の水平面領域
Ａ２  ベース板部の表面の凹曲面領域
Ｂ１  起立壁部の側面の第１凹曲面領域
Ｂ２  起立壁部の側面の第２凹曲面領域
【図１】
2020159026.tif 000004
【図２】
2020159026.tif 000005
【図３】
2020159026.tif 000006
【図４】
2020159026.tif 000007
【図５】
2020159026.tif 000008
【図６】
2020159026.tif 000009
【図７】
2020159026.tif 000010
【図８】
2020159026.tif 000011
【図９】
2020159026.tif 000012
【図１０】
2020159026.tif 000013
【図１１】
2020159026.tif 000014
【図１２】
2020159026.tif 000015
【図１３】
2020159026.tif 000016
【図１４】
2020159026.tif 000017
【図１５】
2020159026.tif 000018
【図１６】
2020159026.tif 000019
【図１７】
2020159026.tif 000020
【図１８】
2020159026.tif 000021